(57)【要約】【課題】メインフレキシブル配線板をライト用フレキシブル配線板の引出部分と共に液晶モジュールの背面に沿わせて折り曲げたときに、引出部分がメインフレキシブル配線板より後側にはみ出すことがなく、デジタルスチルカメラなどへの組込み作業を容易に行うことができる小型の液晶モジュールを提供する。【解決手段】ライト用フレキシブル配線板の引出部分９０を、液晶モジュールＬＣＭの一辺から直角方向に突き出す縦片部９０ａと、その先端から液晶モジュールの一辺と平行に横向きに延びる横片部９０ｂとからなる鉤形の引出部分に形成し、縦片部９０ａの曲げ弾性を横片部９０ｂの曲げ弾性より小さくして、横片部の先端の圧着片部９０ｃをメインフレキシブル配線板８に圧着した液晶モジュールとする。引出部分９０の縦片部９０ａの曲げ弾性を小さくして曲がり易くすることで、折り曲げたときの後側へのはみ出しを防止し、組込作業を容易にする。【選択図】図２
2008292532.tif 000002
【特許請求の範囲】
【請求項１】
液晶パネルに接続されたメインフレキシブル配線板を液晶モジュールの一辺に形成された引出口から引き出すと共に、光源が実装されたライト用フレキシブル配線板を液晶モジュールの一辺に形成された他の引出口から引き出し、このライト用フレキシブル配線板の引出部分を、液晶モジュールの一辺から直角方向に突き出す縦片部と、この縦片部の先端から液晶モジュールの一辺と平行に横向きに延びる横片部とからなる鉤形の引出部分に形成して、横片部の先端の圧着片部をメインフレキシブル配線板に圧着した液晶モジュールにおいて、
上記ライト用フレキシブル配線板の引出部分の縦片部の曲げ弾性を横片部の曲げ弾性よりも小さくしたことを特徴とする液晶モジュール。
【請求項２】
上記ライト用フレキシブル配線板の引出部分の縦片部の幅を横片部の幅よりも狭くして、縦片部の曲げ弾性を横片部の曲げ弾性よりも小さくしたことを特徴とする請求項１に記載の液晶モジュール。
【請求項３】
上記ライト用フレキシブル配線板の引出部分の縦片部の長さを横片部の長さよりも長くして、縦片部の曲げ弾性を横片部の曲げ弾性よりも小さくしたことを特徴とする請求項１に記載の液晶モジュール。
【請求項４】
上記ライト用フレキシブル配線板の引出部分の縦片部に切込みを入れて、縦片部の曲げ弾性を横片部の曲げ弾性よりも小さくしたことを特徴とする請求項１に記載の液晶モジュール。
【請求項５】
上記ライト用フレキシブル配線板の引出部分の横片部におけるライト用配線が形成されていない片面に、ダミーの配線を形成して横片部の曲げ弾性を高め、縦片部の曲げ弾性を横片部の曲げ弾性よりも小さくしたことを特徴とする請求項１に記載の液晶モジュール。
【発明の詳細な説明】
【技術分野】
【０００１】
本発明は小型の液晶モジュールに関し、特に、メインフレキシブル配線板とライト用フレキシブル配線板の引出部分を液晶モジュールの背面に沿わせて折り曲げたときに、ライト用フレキシブル配線板の引出部分がメインフレキシブル配線板よりも後側にはみ出さないように改良した液晶モジュールに関する。
【背景技術】
【０００２】
図９は、デジタルスチルカメラやインクジェットプリンターなどに組み込まれる従来の小型の液晶モジュールを示す背面図、図１０及び図１１はメインフレキシブル配線板とライト用フレキシブル配線板を液晶モジュールの背面に沿わせて折り曲げた状態の同液晶モジュールを示す背面図及び底面図である。
【０００３】
図９に示す従来の液晶モジュール１００は、その一辺の中央に形成された引出口から、液晶パネルに接続されたメインフレキシブル配線板１０１を直角方向に引き出すと共に、上記一辺の片側に形成された他の引出口からライト用フレキシブル配線板１０２を引き出し、ライト用フレキシブル配線板１０２の引出部分の端部（圧着片部）をメインフレキシブル配線板１０１に圧着して、ライト用フレキシブル配線板の配線とメインフレキシブル配線板のライト用配線を接続したものである。
【０００４】
斯かる液晶モジュールは、図１０、図１１に示すように、メインフレキシブル配線板１０１とライト用フレキシブル配線板１０２を液晶モジュール１００の背面に沿わせて折り曲げた状態で、デジタルスチルカメラなどに組み込む必要があるため、図９に示すように、ライト用フレキシブル配線板１０２の引出部分を、液晶モジュール１００の一辺から直角方向に突き出す縦片部１０２ａと、この縦片部の先端から液晶モジュール１００の一辺と平行に横方向に延びる横片部１０２ｂとからなる鉤形の引出部分に形成し、折り曲げたときにライト用フレキシブル配線板１０２の引出部分の端部（圧着片部）とメインフレキシブル配線板１０１との圧着箇所の接触不良が生じないようにしている。
一方、折り畳み式携帯電話のヒンジユニットにフレキシブル配線板を取付ける際に、フレキシブル配線板に対し特別な細工を施すことなく簡単に取付けを行うことが可能となるように、フレキシブル配線板を保持するためのホルダーの載置面に平行する面内に少なくとも３個の爪部を設け、該載置面にフレキシブル配線板を載置して３個の爪部との隙間で該配線板を挟止するようにしたＦＰＣ保持部材が提案されている（特許文献１）。
【０００５】
また、折り曲げ時に撓みが発生しないように、液晶表示パネルに接続される幅広帯状の第一フレキシブル配線基板と、幅狭紐状の第二フレキシブル配線基板とを備え、第二フレキシブル配線基板が、バックライトユニットに接続された直線状基部と、この基部から延長された湾曲部と、この湾曲部の先端に形成された端子部とで構成されており、直線状基部が第一フレキシブル配線基板面に当接されて折り曲げられた液晶表示装置も知られている（特許文献２）。
【０００６】
更に、折り曲げ方向の自由度が大きく、折り曲げ時の形状保持性の良好なフレキシブル配線基板の提供を目的として、可撓性絶縁基板と、この基板上に設けられた導体パターンと、この基板上に設けられ折り曲げられた際にその折り曲げ形状を保持する形状保持部材とを備えたフレキシブル配線基板も知られている（特許文献３）。
【特許文献１】特開２００５−３１１００３号公報
【特許文献２】特開２００６−１９５３０９号公報
【特許文献３】特開２００５−１８３５３６号公報
【発明の開示】
【発明が解決しようとする課題】
【０００７】
しかしながら、前述した従来の液晶モジュールのように、ライト用フレキシブル配線板１０２の引出部分が、縦片部１０２ａと横片部１０２ｂとを備えた鉤形の引出部分に形成されていると、図１０，図１１に示すように、メインフレキシブル配線板１０１をライト用フレキシブル配線板１０２の引出部分と共に液晶モジュール１００の背面に沿わせて折り曲げたとき、縦片部１０２ａの曲げ弾性によりライト用フレキシブル配線板１０２の引出部分の角部が浮いた状態となってメインフレキシブル配線板１０１よりも後側（図１１では上側）に寸法Ｘだけはみ出し、デジタルスチルカメラなどに組み込む際に、上記のはみ出した角部が引掛かって組込み作業がし辛いという問題があった。
【０００８】
このような問題は、ライト用フレキシブル配線板の角部のはみ出し防止とは関係のない前記特許文献１〜３に記載された技術を採用しても、解決することはできない。
【０００９】
本発明は上記事情の下になされたもので、その解決しようとする課題は、メインフレキシブル配線板をライト用フレキシブル配線板の引出部分と共に液晶モジュールの背面に沿わせて折り曲げたときに、ライト用フレキシブル配線板の引出部分がメインフレキシブル配線板よりも後側にはみ出すことが実質的になく、それゆえデジタルスチルカメラなどへの組込み作業を容易に行うことができる小型の液晶モジュールを提供することにある。
【課題を解決するための手段】
【００１０】
上記の課題を解決するため、本発明に係る液晶モジュールは、液晶パネルに接続されたメインフレキシブル配線板を液晶モジュールの一辺に形成された引出口から引き出すと共に、光源が実装されたライト用フレキシブル配線板を液晶モジュールの一辺に形成された他の引出口から引き出し、このライト用フレキシブル配線板の引出部分を、液晶モジュールの一辺から直角方向に突き出す縦片部と、この縦片部の先端から液晶モジュールの一辺と平行に横向きに延びる横片部とからなる鉤形の引出部分に形成して、横片部の先端の圧着片部をメインフレキシブル配線板に圧着した液晶モジュールにおいて、上記ライト用フレキシブル配線板の引出部分の縦片部の曲げ弾性を横片部の曲げ弾性よりも小さくしたことを特徴とするものである。
【００１１】
本発明の液晶モジュールにおいては、上記ライト用フレキシブル配線板の引出部分の縦片部の幅を横片部の幅よりも狭くして、縦片部の曲げ弾性を横片部の曲げ弾性よりも小さくすることが望ましい。
【００１２】
また、上記ライト用フレキシブル配線板の引出部分の縦片部の長さを横片部の長さよりも長くして、縦片部の曲げ弾性を横片部の曲げ弾性より小さくすることも望ましい。
【００１３】
更に、上記ライト用フレキシブル配線板の引出部分の縦片部に切込みを入れて、縦片部の曲げ弾性を横片部の曲げ弾性より小さくすることも望ましい。
【００１４】
そして、上記ライト用フレキシブル配線板の引出部分の横片部におけるライト用配線が形成されていない片面に、ダミーの配線を形成して横片部の曲げ弾性を高め、縦片部の曲げ弾性を横片部の曲げ弾性より小さくすることも望ましい。
【発明の効果】
【００１５】
本発明の液晶モジュールのように、ライト用フレキシブル配線板の引出部分の縦片部の曲げ弾性を横片部の曲げ弾性よりも小さくしてあると、縦片部が曲がり易くなっているため、折り曲げ時にライト用フレキシブル配線板の引出部分がその縦片部で容易に折り曲げられると共に、曲げ弾性の大きい横片部によって縦片部が液晶モジュールの背面から浮かないように押さえられる。従って、ライト用フレキシブル配線板の引出部分の角部（縦片部と横片部の角部）が縦片部の曲げ弾性によって液晶モジュールの背面から浮くことが殆どなくなり、メインフレキシブル配線板と同様に液晶モジュールの背面沿いに折り曲げられて、実質的にメインフレキシブル配線板よりも後側にはみ出さなくなるので、デジタルスチルカメラなどへの液晶モジュールの組込み作業を容易に行うことが可能となる。
【００１６】
ライト用フレキシブル配線板の引出部分の縦片部の曲げ弾性を横片部の曲げ弾性よりも小さくする手段としては種々の手段が採用可能であり、上記のように、縦片部の幅を横片部の幅よりも狭くしたり、縦片部の長さを横片部の長さよりも長くしたり、縦片部に切込みを入れたり、横片部のライト用配線が形成されていない片面にダミーの配線を形成する等の手段を採用する場合は、いずれも、縦片部の曲げ弾性が横片部の曲げ弾性よりも小さくなって、ライト用フレキシブル配線板の引出部分を折り曲げたときのはみ出しを十分に防止することができる。
【発明を実施するための最良の形態】
【００１７】
以下、図面を参照して本発明の具体的な実施形態を詳述する。
【００１８】
図１は本発明の一実施形態に係る液晶モジュールの正面図、図２は同液晶モジュールの背面図、図３及び図４はメインフレキシブル配線板とライト用フレキシブル配線板を折り曲げた同液晶モジュールの背面図及び底面図、図５は裏返した同液晶モジュールの分解斜視図である。尚、図５は裏返した液晶モジュールの分解斜視図であるから、上下関係が逆になっている。
【００１９】
この小型の液晶モジュールＬＣＭは、図５、図１、図２に示すように、合成樹脂製の方形枠状のフレーム１の内側に導光板２を収容して、フレーム１の下方から光反射シート３を導光板２の裏面とフレーム１に貼着すると共に、導光板２の上に２枚の光拡散シート４ａ，４ｂと１枚のプリズムシート５を重ね、更にその上に液晶パネル６（液晶セル）を重ねてフレーム１の内側に収容し、上方から方形枠状のベゼル７をフレーム１に嵌着して組立てられたものである。このフレーム１とベゼル７は、フレーム側面に形成された係合爪１ａをベゼル側面に形成された被係合孔７ａに係合させることによって互いに分離しないように嵌着されている。
【００２０】
液晶パネル６にはメインフレキシブル配線板８が接続されており、該配線板８は液晶モジュールＬＣＭの一辺（底辺）の中央に形成された引出口１０ｂ（図２、図４参照）、即ち、図５に示すフレーム１の凹欠部１ｂとベゼル７の凹欠部７ｂによって形成される引出口１０ｂから外部へ引き出されている。このメインフレキシブル配線板８は、一端のコネクタ８ａから入力される液晶駆動用配線（不図示）とライト用配線８ｂを、該配線板８の裏面（図５では上面）に形成して絶縁膜で被覆したものであり、ライト用配線８ｂの端部には、銅箔の露出した圧着用パッド部８ｃが形成されている。
【００２１】
また、導光板２の一辺（底辺）の端面沿いには、光源として複数個（この実施形態では２個）のＬＥＤ１１を実装したライト用フレキシブル配線板９が配置されて反射テープ（不図示）で貼着されており、このライト用フレキシブル配線板９の引出部分９０は、液晶モジュールＬＣＭの一辺（底辺）の片側に形成された他の引出口１０ｃ（図２，図４参照）、即ち、図５に示すフレーム１のもう一つの凹欠部１ｃとベゼル７のもう一つの凹欠部７ｃによって形成される引出口１０ｃから引き出されている。
【００２２】
このライト用フレキシブル配線板９の引出部分９０は、液晶モジュールＬＣＭの一辺（底辺）から直角方向に突き出す縦片部９０ａと、この縦片部９０ａの先端から液晶モジュールＬＣＭの一辺と平行に横向きに延びる横片部９０ｂとからなる鉤形の引出部分に形成されており、横片部９０ｂの先端には圧着片部９０ｃが設けられている。そして、この引出部分９０は、縦片部９０ａの幅を横片部９０ｂの幅よりも狭くすることによって、縦片部９０ａの曲げ弾性を横片部９０ｂの曲げ弾性よりも小さくし、縦片部９０ａを曲がり易くしている。
【００２３】
ライト用フレキシブル配線板９の引出部分９０の表面（図５では下面）には、ライト用配線９ａが形成されて絶縁膜で被覆されている。そして、圧着片部９０ｃの表面の配線端部には圧着用パッド部９ｂが設けられ、この圧着用パッド部９ｂをメインフレキシブル配線板８の圧着用パッド部８ｃに圧着することによって、ライト用配線８ｂ，９ａが接続されている。尚、ライト用フレキシブル配線板９の配線９ａは、図５に示すように、途中からスルーホールを介してＬＥＤ１１の実装面（図５では上面）に導かれて形成されている。
【００２４】
以上のような構成の液晶モジュールＬＣＭは、図３，図４に示すように、メインフレキシブル配線板８とライト用フレキシブル配線板９を液晶モジュールＬＣＭの背面に沿わせて折り曲げ、その状態でデジタルスチルカメラなどに組み込まれるが、この液晶モジュールＬＣＭのように、ライト用フレキシブル配線板９の引出部分９０の縦片部９０ａの幅を横片部９０ｂの幅よりも狭くすることによって縦片部９０ａの曲げ弾性を横片部９０ｂの曲げ弾性よりも小さくしてあると、縦片部９０ａが曲がり易いため、折り曲げ時にライト用フレキシブル配線板９の引出部分９０がその縦片部９０ａで容易に折り曲げられると共に、曲げ弾性の大きい横片部９０ｂによって縦片部９０ａが液晶モジュールＬＣＭの背面から浮かないように押さえられるようになる。従って、図４に示すように、ライト用フレキシブル配線板９の引出部分９０の角部（縦片部９０ａと横片部９０ｂの角部）は縦片部９０ａの曲げ弾性によって液晶モジュールＬＣＭの背面から浮くことが殆どなくなり、メインフレキシブル配線板８と同様に液晶モジュールの背面沿いに折り曲げられて、実質的にメインフレキシブル配線板８よりも後側にはみ出さなくなるので、デジタルスチルカメラなどへの液晶モジュールＬＣＭの組込み作業を容易に行うことが可能となる。
【００２５】
図６は本発明の他の実施形態に係る液晶モジュールの背面図である。
【００２６】
この液晶モジュールＬＣＭは、ライト用フレキシブル配線板の引出部分９０の縦片部９０ａの両側縁に一対の切込み９ｃ，９ｃを入れることによって、縦片部９０ａの曲げ弾性を横片部９０ｂの曲げ弾性よりも小さくし、縦片部９０ａを曲がり易くしたものである。一対の切込み９ｃ，９ｃは、折り曲げ時に縦片部９０ａにおいて曲げ力が最も強く作用する箇所、即ち、液晶モジュールＬＣＭの一辺（底辺）の他の引出口１０ｃから少し突き出した箇所で１８０°折り曲げられる箇所に形成することが好ましく、このようにすると、縦片部９０ａの曲げ弾性を最も効果的に小さくすることができる。切込み９ｃの形状については特に限定されないが、引出部分９０の縦片部９０ａを折り曲げたときに切込み９０ｃの箇所から亀裂が入るのを防止するために、Ｖ形などの角のある切込みよりも、半円形や半楕円形などの丸みのある切込みを形成することが好ましい。尚、このような切込み９ｃは、一対に限らず、複数対形成しても勿論よい。
【００２７】
この液晶モジュールＬＣＭの他の構成は前述した図１〜図５の液晶モジュールＬＣＭと同様であるので、図６において同一部材に同一符号を付し、重複する説明を省略する。
【００２８】
このような液晶モジュールＬＣＭも、ライト用フレキシブル配線板の引出部分９０の縦片部９０ａの曲げ弾性が横片部９０ｂの曲げ弾性より小さく、縦片部９０ａが曲がり易いため、メインフレキシブル配線板８と引出部分９０を液晶モジュールＬＣＭの背面沿いに折り曲げると、引出部分９０が縦片部９０ａの切込み９ｃを入れた箇所で容易に折り曲げられて、引出部分９０の角部が液晶モジュールＬＣＭの背面から殆ど浮かなくなり、実質的にメインフレキシブル配線板８よりも後側にはみ出さなくなるので、デジタルスチルカメラなどへの液晶モジュールＬＣＭの組込み作業を容易に行うことが可能となる。
【００２９】
図７は本発明の更に他の実施形態に係る液晶モジュールの背面図である。
【００３０】
この液晶モジュールＬＣＭは、ライト用フレキシブル配線板の引出部分９０の横片部９０ｂにおけるライト用配線が形成されていない片面（裏面）に、ダミーの配線９ｄが形成されている。この引出部分９０の反対面（正面）には前述したライト用配線９ａが形成されているので、両面にダミーの配線９ｄとライト用配線９ａを有する横片部９０ｂは、反対面のみにライト用配線９ａを有する縦片部９０ａよりも曲げ弾性が大きくなっており、その分だけ相対的に縦片部９０ａの曲げ弾性が横片部９０ｂの曲げ弾性よりも小さくなっている。
【００３１】
この液晶モジュールＬＣＭの他の構成は前述した図１〜図５の液晶モジュールＬＣＭと同様であるので、図７において同一部材に同一符号を付し、重複する説明を省略する。
【００３２】
このような液晶モジュールＬＣＭも、ライト用フレキシブル配線板の引出部分９０の縦片部９０ａの曲げ弾性が横片部９０ｂの曲げ弾性より小さく、縦片部９０ａが横片部９０ｂよりも曲がり易いため、メインフレキシブル配線板８と引出部分９０を液晶モジュールＬＣＭの背面沿いに折り曲げると、引出部分９０の縦片部９０ａが容易に折り曲げられ、且つ、曲げ弾性の大きい横片部９０ｂによって縦片部９０ａが浮かないように押さえられるので、引出部分９０の角部が液晶モジュールＬＣＭの背面から殆ど浮かなくなり、実質的にメインフレキシブル配線板８よりも後側にはみ出さなくなる。しかも、ダミーの配線９ｄの本数を増やしたり、配線を太くしたりすると、横片部９０ｂの曲げ弾性が一層大きくなり、縦片部９０ａをより強く押さえて、引出部分９０の角部が浮くのをより確実に防止できるようになる。また、ライト用フレキシブル配線板は、元々、両面に配線を形成する２層タイプの配線板であるから、横片部９０ｂにダミーの配線９ｄを形成しても、コストアップを招く心配はない。
【００３３】
図８は本発明の更に他の実施形態に係る液晶モジュールの背面図である。
【００３４】
この液晶モジュールＬＣＭは、ライト用フレキシブル配線板の引出部分９０の縦片部９０ａの長さを横片部９０ｂの長さよりも長くして、引出部分９０の角部をメインフレキシブル配線板８に近づけることにより、縦片部９０ａの曲げ弾性を横片部９０ｂの曲げ弾性より小さくしたものである。
【００３５】
この液晶モジュールＬＣＭの他の構成は前述した図１〜図５の液晶モジュールＬＣＭと同様であるので、図８において同一部材に同一符号を付し、重複する説明を省略する。
【００３６】
このような液晶モジュールＬＣＭも、ライト用フレキシブル配線板の引出部分９０の縦片部９０ａの曲げ弾性が横片部９０ｂの曲げ弾性より小さく、縦片部９０ａが横片部９０ｂよりも曲がり易いため、メインフレキシブル配線板８と引出部分９０を液晶モジュールＬＣＭの背面沿いに折り曲げると、引出部分９０の縦片部９０ａが容易に折り曲げられ、且つ、曲げ弾性の大きい横片部９０ｂによって縦片部９０ａが浮かないように押さえられるので、引出部分９０の角部が液晶モジュールＬＣＭの背面から殆ど浮かなくなり、実質的にメインフレキシブル配線板８よりも後側にはみ出さなくなる。そして、横片部９０ｂの長さを更に短くして引出部分９０の角部をメインフレキシブル配線板８に接近させるほど、横片部９０ｂの曲げ弾性が一層大きくなり、縦片部９０ａをより強く押さえて、引出部分９０の角部が浮くのをより確実に防止できるようになる。
【図面の簡単な説明】
【００３７】
【図１】本発明の一実施形態に係る液晶モジュールの正面図である。
【図２】同液晶モジュールの背面図である。
【図３】メインフレキシブル配線板とライト用フレキシブル配線板を折り曲げた同液晶モジュールの背面図である。
【図４】メインフレキシブル配線板とライト用フレキシブル配線板を折り曲げた同液晶モジュールの底面図である。
【図５】裏返した同液晶モジュールの分解斜視図である。
【図６】本発明の他の実施形態に係る液晶モジュールの背面図である。
【図７】本発明の更に他の実施形態に係る液晶モジュールの背面図である。
【図８】本発明の更に他の実施形態に係る液晶モジュールの背面図である。
【図９】従来の液晶モジュールの背面図である。
【図１０】メインフレキシブル配線板とライト用フレキシブル配線板を折り曲げた従来の液晶モジュールの背面図である。
【図１１】メインフレキシブル配線板とライト用フレキシブル配線板を折り曲げた従来の液晶モジュールの底面図である。
【符号の説明】
【００３８】
１    フレーム
１ｂ，１ｃ  凹欠部
２    導光板
３    光反射シート
４ａ，４ｂ  光拡散シート
５    プリズムシート
６    液晶パネル
７    ベゼル
７ｂ，７ｃ  凹欠部
８    メインフレキシブル配線板
９    ライト用フレキシブル配線板
９ｃ  切込み
９ｄ  ダミーの配線
９０  引出部分
９０ａ  縦片部
９０ｂ  横片部
９０ｃ  圧着片部
１０ｂ  液晶モジュールの一辺に形成された引出口
１０ｃ  液晶モジュールの一辺に形成された他の引出口
１１  光源（ＬＥＤ）
ＬＣＭ  液晶モジュール
【図１】
2008292532.tif 000003
【図２】
2008292532.tif 000004
【図３】
2008292532.tif 000005
【図４】
2008292532.tif 000006
【図５】
2008292532.tif 000007
【図６】
2008292532.tif 000008
【図７】
2008292532.tif 000009
【図８】
2008292532.tif 000010
【図９】
2008292532.tif 000011
【図１０】
2008292532.tif 000012
【図１１】
2008292532.tif 000013